(57)【特許請求の範囲】
【請求項１】
鉄心、鉄心の後端と磁気的に結合された永久磁石、および鉄心に生じる磁束変化を検知するコイルを主要部とする検知部が、支持フレーム部材と共に一体にモールドされ、前記支持フレーム部材を介して取付対象に取り付けられ、前記支持フレーム部材から離間した端部にウエイトが装着されるピックアップコイルにおいて、
前記検知部をモールドするカップ状の樹脂ケース(20)と、
前記樹脂ケース(20)の頂上部にインサートモールドされて前記ウエイトを兼ねるインサートナット(30)とを具備し、
前記インサートナット(30)には、追加ウエイト(40)がネジで共締めされるネジ穴(31)が露出していることを特徴とするピックアップコイル。
【発明の詳細な説明】
【技術分野】
【０００１】
本発明はピックアップコイルに係り、特に、エンジンの回転数や回転位置を検出するピックアップコイルに関する。
【背景技術】
【０００２】
エンジンの回転数や回転位置を非接触で検出するセンサとしてピックアップコイルが普及している。このようなピックアップコイルはエンジンの近傍に取り付けられるため、エンジン振動の影響を受けやすい。そして、ピックアップコイルが大きく振動すると、検知信号にノイズが乗ったり歪みが生じたりして検出精度が低下する原因となる。
【０００３】
特許文献１には、ピックアップコイルの重心位置と取り付け対象への固定位置とがずれていることにより増幅されるピックアップコイルの振動を抑制するために、ピックアップコイルに、その重心位置を調整するための重心位置調整部材を内蔵させる技術が開示されている。
【特許文献１】特開２００６−２６６１０９号公報
【発明の開示】
【発明が解決しようとする課題】
【０００４】
ピックアップコイルは、その重心位置と取り付け対象への固定位置とがずれている場合のみならず、エンジン振動とピックアップコイルの固有振動数とが一致してピックアップコイルが共振する場合も大きく振動する。しかしながら、上記した従来技術では、エンジン振動とピックアップコイルの固有振動数とが一致してピックアップコイルが共振することの弊害が考慮されていなかった。
【０００５】
本発明の目的は、上記した従来技術の課題を解決し、固有振動数を簡単に調整可能なピックアップコイルを提供することにある。
【課題を解決するための手段】
【０００６】
上記した目的を達成するために、本発明は、鉄心、鉄心の後端と磁気的に結合された永久磁石、および鉄心に生じる磁束変化を検知するコイルが、支持フレーム部材と共に一体にモールドされ、前記支持フレーム部材を介して取付対象に取り付けられるピックアップコイルにおいて、以下のような手段を講じた点に特徴がある。
(1)支持フレーム部材から離間した端部にウエイト部材が装着されたことを特徴とする。
(2)ピックアップコイルに装着されるケース部材にウエイト部材が収容されるようにしたことを特徴とする。
【発明の効果】
【０００７】
本発明によれば、以下のような効果が達成される。
(1)ピックアップコイルの支持フレーム部材から離間した端部にウエイト部材が装着された結果、支持フレーム部材から端部までの距離とウエイト部材の重量とに応じて慣性モーメントが増加するので、ピックアップコイルの固有振動数を低下させることができる。
(2)ピックアップコイルに装着されるケース部材にウエイト部材が収容されるので、ケース部材に収容するウエイト部材の個数や重量を変えることで固有振動数を調整できるようになる。
【発明を実施するための最良の形態】
【０００８】
以下、図面を参照して本発明の好ましい実施の形態について詳細に説明する。図１は、本発明が適用されるピックアップコイル１を、被検物の誘導片が配置されるロータ（いずれも図示せず）の軌道と対向する正面から見込んだ正面図であり、図２は図１のA−A線における一部破断断面図である。
ピックアップコイル１は、樹脂被覆された検知部２と、この検知部２をエンジンまたは車体ボディ等の取り付け対象にネジ止め固定するための支持フレーム３と、前記検知部２から外部に引き出された一対のリード線４とから構成されている。
【０００９】
前記ピックアップコイル１の検知部２は、図２に一例を示したように、前後方向に沿って配置された角柱形状の磁性鉄心５と、当該鉄心５の後端部とコアプレート６を介して磁気的に結合された永久磁石７と、前記永久磁石７と磁気的に結合されたベースプレート１０と、前記鉄心５が貫通されたボビン８および当該ボビン８の周囲に巻回されたコイル９とを主要な構成とし、鉄心５の近傍を誘導片が通過するごとに、コイル９に誘起されるパルス状の誘導電圧がリード線４から出力される。
【００１０】
図３，４は、本発明の第１実施形態に係るピックアップコイルの正面図であり、前記と同一の符号は同一または同等部分を表している。
【００１１】
本実施形態では、ピックアップコイル１の検知部２がカップ状の樹脂ケース２０でモールドされ、当該樹脂ケース２０の内側であって検知部２の頂部上方に確保されたウエイト収容部２１に、当該ピックアップコイル１の固有振動数を調整するためのウエイト２２が収容されている。これにより、本実施形態ではウエイト２２は支持フレーム３から離間した端部においてピックアップコイル１に装着されることになる。
【００１２】
図９は、上記のようにしてピックアップコイル１に装着されるウエイト２２の重量と固有振動数とを関係を示した図である。本実施形態では、支持フレーム３からウエイト２２までの距離Lおよびウエイト２２の重量Mに応じて慣性モーメントが増加するので、ピックアップコイル１の固有振動数を低下させることができる。
【００１３】
また、本実施形態では前記ウエイト収容部２１の容積が、図３に示したように、複数のウエイト２２ａ，２２ｂを収容可能な大きさに設定されているので、ウエイト２２の収容数を異ならせることで、ピックアップコイル１の固有振動数を任意に調整できるようになる。
【００１４】
なお、例えば２つのウエイト２２（２２ａ，２２ｂ）を収容可能なウエイト収容部２１に、これよりも少ない個数のウエイトを収容する場合には、図４に一例を示したように、ウエイト収容部２１の空きスペースにエポキシ系の樹脂２３などを充填することでウエイト２２がウエイト収容部２１の内部で固定されるようにすることが望ましい。
【００１５】
図５は、本発明の第２実施形態に係るピックアップコイルの正面図であり、前記と同一の符号は同一または同等部分を表している。
【００１６】
本実施形態では、ピックアップコイル１の検知部２がカップ状の樹脂ケース２０でモールドされ、当該樹脂ケース２０の内側であって検知部２の頂部上方に確保されたウエイト収容部２１に、当該ピックアップコイル１の固有振動数を調整するためのウエイト２２が予めインサートモールドされている。これにより、本実施形態でもウエイト２２は支持フレーム３から離間した端部においてピックアップコイル１に装着されることになる。
【００１７】
本実施形態によれば、樹脂ケース２０の内部にウエイト２２がインサートモールドされて一体化しているので、ウエイト２２をピックアップコイル１や樹脂ケース２０に固定するための処理が不要になる。
【００１８】
なお、本実施形態ではインサートモールドされるウエイト数が異なる複数の樹脂ケース２０を用意しておき、ピックアップコイル１に要求される固有振動数に応じて、ピックアップコイル１の検知部２をモールドする樹脂ケース２０が適宜に選択される。
【００１９】
図６，７，８は、本発明の第３実施形態に係るピックアップコイルの正面図であり、前記と同一の符号は同一または同等部分を表している。
【００２０】
本実施形態では、図６に示したように、ピックアップコイル１の検知部２を覆うようにモールドされるカップ状の樹脂ケース２０の頂上部に、ネジ穴３１が設けられたインサートナット３０が、当該ネジ穴３１が露出するようにインサートモールドされている。これにより、本実施形態でもウエイトを兼ねたインサートナット３０が支持フレーム３から離間した端部においてピックアップコイル１に装着されることになる。
【００２１】
本実施形態では、インサートナット３０がウエイトとして機能するのみならず、当該インサートナット３０のみでは固有振動数を所望の範囲まで下げられない場合、図７，８に示したように、同様にネジ穴４１が設けられた追加ウエイト４０を、前記インサートナット３０にネジ５０で共締めされる。
【００２２】
本実施形態では、インサートナット３０にネジ５０により共締めされる追加ウエイト４０の個数や重量を調整することで、ピックアップコイル１の固有振動数を所望の範囲に設定できる。
【図面の簡単な説明】
【００２３】
【図１】本発明が適用されるピックアップコイルの正面図である。
【図２】図１のA−A線における一部破断断面図である。
【図３】本発明の第１実施形態の正面図である。
【図４】本発明の第１実施形態の応用例を示した図である。
【図５】本発明の第２実施形態の正面図である。
【図６】本発明の第３実施形態の正面図である。
【図７】本発明の第３実施形態の応用例を示した図である。
【図８】本発明の第３実施形態の応用例を示した図である。
【図９】ピックアップコイルに装着されるウエイト重量と固有振動数とを関係を示した図である。
【符号の説明】
【００２４】
１…ピックアップコイル，２…検知部，３…支持フレーム，４…リード線，５…鉄心，６…コアプレート，７…永久磁石，８…ボビン，９…コイル，２０…樹脂ケース，２１…ウエイト収容部，２２…ウエイト，２３…充填樹脂，３１，４１…ネジ穴，３０…インサートナット，４０…追加ウエイト，５０…ネジ
【図１】
0005028688.tif 000002
【図２】
0005028688.tif 000003
【図３】
0005028688.tif 000004
【図４】
0005028688.tif 000005
【図５】
0005028688.tif 000006
【図６】
0005028688.tif 000007
【図７】
0005028688.tif 000008
【図８】
0005028688.tif 000009
【図９】
0005028688.tif 000010